(57)【要約】【課題】第１コネクタと第２コネクタとが正規の嵌合位置に到達したことを作業者が容易且つ確実に確認できる構造を備えるコネクタ組立体を提供する。【解決手段】コネクタ組立体１０は、第１金属部材７００を備える第１コネクタ５００と、第２絶縁体２００及び第２金属部材３００を備える第２コネクタ１００とを備えている。第１コネクタ５００と第２コネクタ１００とが互いに嵌合した嵌合状態において、第１金属部材７００の第１金属平面７１０は、第２金属部材３００の第２金属平面３１０及び第２絶縁体２００の少なくとも１つの絶縁平面２１０の夫々と第１方向において少なくとも部分的に対向している。前記嵌合状態において、第１方向における第１金属平面７１０から第２金属平面３１０までの距離は、第１方向における第１金属平面７１０から少なくとも１つの絶縁平面２１０までの距離よりも短い。【選択図】図４
2020031025.tif 000002
【特許請求の範囲】
【請求項１】
第１コネクタと、第２コネクタとを備えるコネクタ組立体であって、
前記第１コネクタは、第１方向に沿って前記第２コネクタに対して嵌合及び抜去可能なものであり、
前記第１コネクタは、第１絶縁体と、第１金属部材とを備えており、
前記第１金属部材は、前記第１絶縁体に保持されており、
前記第１金属部材は、第１金属平面を有しており、
前記第２コネクタは、第２絶縁体と、第２金属部材とを備えており、
前記第２絶縁体は、少なくとも１つの絶縁平面を有しており、
前記第２金属部材は、前記第２絶縁体に保持されており、
前記第２金属部材は、第２金属平面を有しており、
前記第２金属平面は、前記第１方向と直交する第２方向において、前記少なくとも１つの絶縁平面と隣接して配置されており、
前記第１コネクタと前記第２コネクタとが互いに嵌合した嵌合状態において、前記第１金属平面は、前記第２金属平面及び前記少なくとも１つの絶縁平面の夫々と前記第１方向において少なくとも部分的に対向しており、
前記嵌合状態において、前記第１方向における前記第１金属平面から前記第２金属平面までの距離は、前記第１方向における前記第１金属平面から前記少なくとも１つの絶縁平面までの距離よりも短い
コネクタ組立体。
【請求項２】
請求項１記載のコネクタ組立体であって、
前記少なくとも１つの絶縁平面は、２つあり、
前記第２金属平面は、前記第２方向において、２つの前記絶縁平面の間に位置しており、
前記第１金属平面は、前記第２方向において、前記第２金属平面のサイズよりも大きなサイズを有しており、
前記嵌合状態において、前記第１金属平面は、前記第２金属平面及び２つの前記絶縁平面の夫々と前記第１方向において少なくとも部分的に対向しており、
前記嵌合状態において、前記第１方向における前記第１金属平面から前記第２金属平面までの距離は、前記第１方向における前記第１金属平面から一方の前記絶縁平面までの距離及び前記第１金属平面から他方の前記絶縁平面までの距離のいずれよりも短い
コネクタ組立体。
【請求項３】
請求項２記載のコネクタ組立体であって、
前記第１金属平面は、前記第１方向及び前記第２方向の双方と直交する第３方向において、前記第２金属平面よりも小さいサイズを有している
コネクタ組立体。
【請求項４】
請求項２記載のコネクタ組立体であって、
前記第２絶縁体は、２つの付加的絶縁平面を更に有しており、
前記第２金属平面は、前記第１方向及び前記第２方向の双方と直交する第３方向において、２つの前記付加的絶縁平面の間に位置しており、
前記第１方向に沿って前記第２コネクタを見た場合に、前記第２金属平面は、前記絶縁平面と前記付加的絶縁平面により囲まれており、
前記第１金属平面は、前記第３方向において、前記第２金属平面以上のサイズを有しており、
前記嵌合状態において、前記第１金属平面は、更に、２つの前記付加的絶縁平面の夫々と前記第１方向において少なくとも部分的に対向しており、
前記嵌合状態において、前記第１方向における前記第１金属平面から前記第２金属平面までの距離は、前記第１方向における前記第１金属平面から一方の前記付加的絶縁平面までの距離及び前記第１方向における前記第１金属平面から他方の前記付加的絶縁平面までの距離のいずれよりも短い
コネクタ組立体。
【請求項５】
請求項１から請求項４までのいずれかに記載のコネクタ組立体であって、
前記第１金属平面は、前記第１コネクタが前記第２コネクタと嵌合する際に、前記第１方向において前記第２金属平面に突き当たる
コネクタ組立体。
【請求項６】
請求項５記載のコネクタ組立体であって、
前記嵌合の際に、前記第１コネクタは、前記第１方向において前記第２コネクタに部分的に挿入され、
前記挿入の際に、前記第１コネクタは、前記第１方向において、前記第２コネクタに対する挿入力が最大となる位置を越えて挿入された後、前記第２金属平面に対して前記第１金属平面で突き当り、
前記嵌合は、前記突き当りの時点で完了している
コネクタ組立体。
【請求項７】
請求項６記載のコネクタ組立体であって、
前記第１コネクタは、少なくとも１つの第１端子を備えており、
前記第１絶縁体は、前記少なくとも１つの第１端子を保持しており、
前記第２コネクタは、少なくとも１つの第２端子を備えており、
前記第２絶縁体は、前記少なくとも１つの第２端子を保持しており、
前記嵌合の際、前記第１端子と前記第２端子との接触状態が変化することにより、前記挿入力が変化する
コネクタ組立体。
【請求項８】
請求項６記載のコネクタ組立体であって、
前記第１コネクタは、少なくとも１つの第１端子と、少なくとも１つの第１付加部材とを備えており、
前記第１絶縁体は、前記少なくとも１つの第１端子と、前記少なくとも１つの第１付加部材とを保持しており、
前記第２コネクタは、少なくとも１つの第２端子と、少なくとも１つの第２付加部材とを備えており、
前記第２絶縁体は、前記少なくとも１つの第２端子と、前記少なくとも１つの第２付加部材とを保持しており、
前記嵌合の際、前記第１付加部材と前記第２付加部材との接触状態が変化することにより、前記挿入力が変化する
コネクタ組立体。
【請求項９】
請求項８記載のコネクタ組立体であって、
前記第１金属部材は、前記第１付加部材を有しており、
前記第２金属部材は、前記第２付加部材を有している
コネクタ組立体。
【請求項１０】
請求項１から請求項９までのいずれかに記載のコネクタ組立体であって、
前記第１コネクタは、第１回路基板に固定されるものであり、
前記第２コネクタは、前記第１回路基板とは異なる第２回路基板に固定されるものである
コネクタ組立体。
【請求項１１】
請求項１から請求項１０までのいずれかに記載の第１コネクタとして使用可能なコネクタ。
【請求項１２】
請求項１から請求項１０までのいずれかに記載の第２コネクタとして使用可能なコネクタ。
【発明の詳細な説明】
【技術分野】
【０００１】
本発明は、コネクタ組立体及びコネクタに関する。
【背景技術】
【０００２】
図３３及び図３４を参照すると、特許文献１には、第１コネクタ９５０と、第２コネクタ９１０とを備えるコネクタ組立体が開示されている。第１コネクタ９５０は、Ｚ方向に沿って第２コネクタ９１０に対して嵌合及び抜去可能なものである。第１コネクタ９５０は、第１絶縁体９５２と、第１金属部材９５６とを備えている。第１金属部材９５６は、第１絶縁体９５２に保持されている。第２コネクタ９１０は、第２絶縁体９１２と、第２金属部材９１６とを備えている。第２金属部材９１６は、第２絶縁体９１２に保持されている。第１コネクタ９５０及び第２コネクタ９１０は、夫々基板（図示せず）に搭載されて使用される。即ち、第１コネクタ９５０及び第２コネクタ９１０は、基板対基板コネクタ組立体である。
【先行技術文献】
【特許文献】
【０００３】
【特許文献１】特開２０１５−２０７５５７号公報
【発明の概要】
【発明が解決しようとする課題】
【０００４】
特許文献１のコネクタ組立体においては、第１コネクタ９５０と第２コネクタ９１０とを互いに嵌合させた場合、第１コネクタ９５０と第２コネクタ９１０とが正規の嵌合位置に到達したか否かを作業者は確認することができない。
【０００５】
よって本発明は、第１コネクタと第２コネクタとが正規の嵌合位置に到達したことを作業者が容易且つ確実に確認できる構造を備えるコネクタ組立体を提供することを目的とする。
【課題を解決するための手段】
【０００６】
本発明は、第１のコネクタ組立体として、
第１コネクタと、第２コネクタとを備えるコネクタ組立体であって、
前記第１コネクタは、第１方向に沿って前記第２コネクタに対して嵌合及び抜去可能なものであり、
前記第１コネクタは、第１絶縁体と、第１金属部材とを備えており、
前記第１金属部材は、前記第１絶縁体に保持されており、
前記第１金属部材は、第１金属平面を有しており、
前記第２コネクタは、第２絶縁体と、第２金属部材とを備えており、
前記第２絶縁体は、少なくとも１つの絶縁平面を有しており、
前記第２金属部材は、前記第２絶縁体に保持されており、
前記第２金属部材は、第２金属平面を有しており、
前記第２金属平面は、前記第１方向と直交する第２方向において、前記少なくとも１つの絶縁平面と隣接して配置されており、
前記第１コネクタと前記第２コネクタとが互いに嵌合した嵌合状態において、前記第１金属平面は、前記第２金属平面及び前記少なくとも１つの絶縁平面の夫々と前記第１方向において少なくとも部分的に対向しており、
前記嵌合状態において、前記第１方向における前記第１金属平面から前記第２金属平面までの距離は、前記第１方向における前記第１金属平面から前記少なくとも１つの絶縁平面までの距離よりも短い
コネクタ組立体を提供する。
【０００７】
また、本発明は、第２のコネクタ組立体として、第１のコネクタ組立体であって、
前記少なくとも１つの絶縁平面は、２つあり、
前記第２金属平面は、前記第２方向において、２つの前記絶縁平面の間に位置しており、
前記第１金属平面は、前記第２方向において、前記第２金属平面のサイズよりも大きなサイズを有しており、
前記嵌合状態において、前記第１金属平面は、前記第２金属平面及び２つの前記絶縁平面の夫々と前記第１方向において少なくとも部分的に対向しており、
前記嵌合状態において、前記第１方向における前記第１金属平面から前記第２金属平面までの距離は、前記第１方向における前記第１金属平面から一方の前記絶縁平面までの距離及び前記第１金属平面から他方の前記絶縁平面までの距離のいずれよりも短い
コネクタ組立体を提供する。
【０００８】
また、本発明は、第３のコネクタ組立体として、第２のコネクタ組立体であって、
前記第１金属平面は、前記第１方向及び前記第２方向の双方と直交する第３方向において、前記第２金属平面よりも小さいサイズを有している
コネクタ組立体を提供する。
【０００９】
また、本発明は、第４のコネクタ組立体として、第２のコネクタ組立体であって、
前記第２絶縁体は、２つの付加的絶縁平面を更に有しており、
前記第２金属平面は、前記第１方向及び前記第２方向の双方と直交する第３方向において、２つの前記付加的絶縁平面の間に位置しており、
前記第１方向に沿って前記第２コネクタを見た場合に、前記第２金属平面は、前記絶縁平面と前記付加的絶縁平面により囲まれており、
前記第１金属平面は、前記第３方向において、前記第２金属平面以上のサイズを有しており、
前記嵌合状態において、前記第１金属平面は、更に、２つの前記付加的絶縁平面の夫々と前記第１方向において少なくとも部分的に対向しており、
前記嵌合状態において、前記第１方向における前記第１金属平面から前記第２金属平面までの距離は、前記第１方向における前記第１金属平面から一方の前記付加的絶縁平面までの距離及び前記第１方向における前記第１金属平面から他方の前記付加的絶縁平面までの距離のいずれよりも短い
コネクタ組立体を提供する。
【００１０】
また、本発明は、第５のコネクタ組立体として、第１から第４までのいずれかのコネクタ組立体であって、
前記第１金属平面は、前記第１コネクタが前記第２コネクタと嵌合する際に、前記第１方向において前記第２金属平面に突き当たる
コネクタ組立体を提供する。
【００１１】
また、本発明は、第６のコネクタ組立体として、第５のコネクタ組立体であって、
前記嵌合の際に、前記第１コネクタは、前記第１方向において前記第２コネクタに部分的に挿入され、
前記挿入の際に、前記第１コネクタは、前記第１方向において、前記第２コネクタに対する挿入力が最大となる位置を越えて挿入された後、前記第２金属平面に対して前記第１金属平面で突き当り、
前記嵌合は、前記突き当りの時点で完了している
コネクタ組立体を提供する。
【００１２】
また、本発明は、第７のコネクタ組立体として、第６のコネクタ組立体であって、
前記第１コネクタは、少なくとも１つの第１端子を備えており、
前記第１絶縁体は、前記少なくとも１つの第１端子を保持しており、
前記第２コネクタは、少なくとも１つの第２端子を備えており、
前記第２絶縁体は、前記少なくとも１つの第２端子を保持しており、
前記嵌合の際、前記第１端子と前記第２端子との接触状態が変化することにより、前記挿入力が変化する
コネクタ組立体を提供する。
【００１３】
また、本発明は、第８のコネクタ組立体として、第６のコネクタ組立体であって、
前記第１コネクタは、少なくとも１つの第１端子と、少なくとも１つの第１付加部材とを備えており、
前記第１絶縁体は、前記少なくとも１つの第１端子と、前記少なくとも１つの第１付加部材とを保持しており、
前記第２コネクタは、少なくとも１つの第２端子と、少なくとも１つの第２付加部材とを備えており、
前記第２絶縁体は、前記少なくとも１つの第２端子と、前記少なくとも１つの第２付加部材とを保持しており、
前記嵌合の際、前記第１付加部材と前記第２付加部材との接触状態が変化することにより、前記挿入力が変化する
コネクタ組立体を提供する。
【００１４】
また、本発明は、第９のコネクタ組立体として、第８のコネクタ組立体であって、
前記第１金属部材は、前記第１付加部材を有しており、
前記第２金属部材は、前記第２付加部材を有している
コネクタ組立体を提供する。
【００１５】
また、本発明は、第１０のコネクタ組立体として、第１から第９までのいずれかのコネクタ組立体であって、
前記第１コネクタは、第１回路基板に固定されるものであり、
前記第２コネクタは、前記第１回路基板とは異なる第２回路基板に固定されるものである
コネクタ組立体を提供する。
【００１６】
また、本発明は、第１のコネクタとして、第１から第１０までのいずれかのコネクタ組立体における第１コネクタとして使用可能なコネクタを提供する。
【００１７】
また、本発明は、第２のコネクタとして、第１から第１０までのいずれかのコネクタ組立体における第２コネクタとして使用可能なコネクタを提供する。
【発明の効果】
【００１８】
本発明のコネクタ組立体においては、第１コネクタと第２コネクタとが互いに嵌合した嵌合状態において、第１金属平面は、第２金属平面及び少なくとも１つの絶縁平面の夫々と第１方向において少なくとも部分的に対向しており、また、第１コネクタと第２コネクタとの嵌合状態において、第１方向における第１金属平面から第２金属平面までの距離は、第１方向における第１金属平面から少なくとも１つの絶縁平面までの距離よりも短くなっている。これにより、本発明のコネクタ組立体においては、第１コネクタと第２コネクタとを互いに嵌合させた際に、第１金属平面と第２金属平面とが面同士で確実に突き当たるように構成されている。従って、第１コネクタと第２コネクタとを互いに嵌合させた場合、第１コネクタと第２コネクタとの嵌合が完了すると、第１金属平面と第２金属平面とが突き当たって比較的大きな金属音が発生するため、作業者は、この金属音を耳で認識することにより、第１コネクタと第２コネクタとが正規の嵌合位置に到達したことを容易且つ確実に確認することができる。なお、この効果は、基板対基板コネクタ組立体において、特に有益である。
【図面の簡単な説明】
【００１９】
【図１】本発明の第１の実施の形態によるコネクタ組立体を示す上側斜視図である。
【図２】図１のコネクタ組立体を示す上面図である。図において、第１コネクタについては第１金属部材の概形のみを点線で示している。
【図３】図１のコネクタ組立体を示す別の上面図である。
【図４】図３のコネクタ組立体をＡ−Ａ線に沿って示す断面図である。図において、第１回路基板及び第２回路基板を点線で示している。
【図５】図１のコネクタ組立体を示す側面図である。
【図６】図５のコネクタ組立体をＢ−Ｂ線に沿って示す断面図である。図において、コネクタ組立体の一部を拡大して示している。また、図において、第１回路基板及び第２回路基板を点線で示している。
【図７】図５のコネクタ組立体をＣ−Ｃ線に沿って示す断面図である。図において、第１回路基板及び第２回路基板を点線で示している。
【図８】図１のコネクタ組立体に含まれる第１コネクタを示す下側斜視図である。
【図９】図８の第１コネクタを示す底面図である。
【図１０】図９の第１コネクタをＤ−Ｄ線に沿って示す断面図である。図において、第１回路基板を点線で示している。
【図１１】図８の第１コネクタを示す側面図である。図において、第１回路基板を点線で示している。
【図１２】図１１の第１コネクタをＥ−Ｅ線に沿って示す断面図である。図において、第１回路基板を点線で示している。
【図１３】図１のコネクタ組立体に含まれる第２コネクタを示す上側斜視図である。
【図１４】図１３の第２コネクタを示す上面図である。
【図１５】図１４の第２コネクタをＦ−Ｆ線に沿って示す断面図である。図において、第２回路基板を点線で示している。
【図１６】図１３の第２コネクタを示す側面図である。
【図１７】図１６の第２コネクタをＧ−Ｇ線に沿って示す断面図である。図において、第２回路基板を点線で示している。
【図１８】図１６の第２コネクタをＨ−Ｈ線に沿って示す断面図である。図において、第２回路基板を点線で示している。
【図１９】本発明の第２の実施の形態によるコネクタ組立体に含まれる第１コネクタを示す下側斜視図である。
【図２０】図１９の第１コネクタを示す側面図である。図において、第１回路基板を点線で示している。
【図２１】本発明の第３の実施の形態によるコネクタ組立体を示す上側斜視図である。
【図２２】図２１のコネクタ組立体を示す上面図である。図において、第１コネクタについては第１金属部材の概形のみを点線で示している。
【図２３】図２１のコネクタ組立体を示す別の上面図である。
【図２４】図２３のコネクタ組立体をＩ−Ｉ線に沿って示す断面図である。図において、コネクタ組立体の一部を拡大して示している。また、図において、第１回路基板及び第２回路基板を点線で示している。
【図２５】図２１のコネクタ組立体に含まれる第１コネクタを示す下側斜視図である。
【図２６】図２５の第１コネクタを示す底面図である。
【図２７】図２６の第１コネクタをＪ−Ｊ線に沿って示す断面図である。図において、第１回路基板を点線で示している。
【図２８】図２１のコネクタ組立体に含まれる第２コネクタを示す上側斜視図である。
【図２９】図２８の第２コネクタを示す上面図である。
【図３０】図２９の第２コネクタをＫ−Ｋ線に沿って示す断面図である。図において、第２回路基板を点線で示している。
【図３１】図２８の第２コネクタを示す側面図である。
【図３２】図３１の第２コネクタをＬ−Ｌ線に沿って示す断面図である。図において、第２回路基板を点線で示している。
【図３３】特許文献１のコネクタ組立体に含まれる第１コネクタを示す下側斜視図である。
【図３４】特許文献１のコネクタ組立体に含まれる第２コネクタを示す上側斜視図である。
【発明を実施するための形態】
【００２０】
（第１の実施形態）
図１に示されるように、本発明の第１の実施の形態によるコネクタ組立体１０は、第１コネクタ５００と、第２コネクタ１００とを備えている。
【００２１】
図１及び図４を参照して、本実施の形態による第１コネクタ５００は、第１方向に沿って第２コネクタ１００に対して嵌合及び抜去可能なものである。本実施の形態において、第１方向は、上下方向である。図において、上下方向はＺ方向として示される。特に、上方を＋Ｚ方向、下方を−Ｚ方向とする。
【００２２】
図１１に示されるように、本実施の形態の第１コネクタ５００は、第１回路基板８５０に固定されるものである。
【００２３】
図８に示されるように、本実施の形態の第１コネクタ５００は、第１絶縁体６００と、２つの第１金属部材７００と、複数の第１端子８００とを備えている。なお、本発明はこれに限定されず、第１端子８００は、少なくとも１つあればよい。また、第１コネクタ５００は、第１絶縁体６００と、第１金属部材７００とを備えていればよい。即ち、第１コネクタ５００は、第１端子８００を備えていなくてもよい。
【００２４】
図９を参照して、本実施の形態の第１絶縁体６００は、樹脂からなるものであり、上面部６１０と、第１周壁部６２０と、島状部収容部６４０とを有している。
【００２５】
図９、図１０及び図１２に示されるように、本実施の形態の上面部６１０は、上下方向と直交する平板形状を有しており、第１絶縁体６００の上端を規定している。
【００２６】
図９に示されるように、本実施の形態の第１周壁部６２０は、上下方向に沿って見た場合、矩形形状の外周を有している。第１周壁部６２０は、２つの第１長壁部６２２と、２つの第１短壁部６２６とを有している。
【００２７】
図９及び図１２に示されるように、本実施の形態の第１長壁部６２２は、第２方向において互いに対向している。本実施の形態において、第２方向はＹ方向である。第１長壁部６２２の上端は、上面部６１０と連結されている。第１長壁部６２２は、第１金属部材７００と隣接する隣接部６２３を有している。
【００２８】
図９及び図１０に示されるように、本実施の形態の第１短壁部６２６は、第３方向において互いに対向している。本実施の形態において、第３方向は、Ｘ方向である。第１短壁部６２６の上端は、上面部６１０と連結されている。第１短壁部６２６の第２方向両端は、第１長壁部６２２と夫々連結されている。上下方向において、第１短壁部６２６の下端は、第１長壁部６２２の下端と同じ位置に位置している。第１短壁部６２６は、第１金属部材７００と隣接する隣接部６２７を有している。
【００２９】
図９、図１０及び図１２に示されるように、本実施の形態の島状部収容部６４０は、上下方向において下端が開口した凹部である。即ち、島状部収容部６４０は、上方に凹んでいる。上面部６１０は、島状部収容部６４０の上端を規定している。島状部収容部６４０は、上下方向と直交する平面内において第１周壁部６２０に包囲されている。本実施の形態において、上下方向と直交する平面は、ＸＹ平面である。
【００３０】
図８から図１２までに示されるように、本実施の形態の第１金属部材７００は、第１絶縁体６００に保持されている。より詳しくは、第１金属部材７００は、第１絶縁体６００の第３方向両端に夫々保持されている。
【００３１】
図８を参照して、本実施の形態の第１金属部材７００は、金属からなるものであり、第１金属平面７１０と、第１付加部材７７０と、第１金属部材被固定部７４０とを有している。
【００３２】
図９、図１０及び図１２に示されるように、本実施の形態の第１金属平面７１０は、第１方向、即ち上下方向と直交する平面である。第１金属平面７１０は、第１絶縁体６００の第１周壁部６２０の第１長壁部６２２の下端に位置している。第１金属平面７１０は、第１絶縁体６００の第１周壁部６２０の第１短壁部６２６の下端に位置している。
【００３３】
上下方向において、第１金属平面７１０は、第１絶縁体６００の隣接部６２３のうちの第１金属平面７１０と接している部分６２４の下端と同じ位置に位置している。上下方向において、第１金属平面７１０は、第１絶縁体６００の隣接部６２７のうちの第１金属平面７１０と接している部分６２８の下端と同じ位置に位置している。なお、本発明はこれに限定されず、上下方向において、第１金属平面７１０は、第１絶縁体６００の隣接部６２３のうちの第１金属平面７１０と接している部分６２４の下端と同じ位置でなくてもよい。同様に、上下方向において、第１金属平面７１０は、第１絶縁体６００の隣接部６２７のうちの第１金属平面７１０と接している部分６２８の下端と同じ位置でなくてもよい。
【００３４】
図１１に示されるように、本実施の形態の第１付加部材７７０は、連結部７２０と、側面部７３０とを有している。
【００３５】
図６に示されるように、本実施の形態の連結部７２０の第３方向と直交する断面は、Ｒ形状となっている。即ち、連結部７２０の外面は、Ｒ面となっている。連結部７２０は、第１金属平面７１０と側面部７３０とを連結している。図１１に示されるように、連結部７２０は、端部７２２を有している。端部７２２は、連結部７２０の上端である。
【００３６】
図６及び図８から理解されるように、本実施の形態の側面部７３０は、第２方向と直交する平板形状を有している。側面部７３０は、第１絶縁体６００の第１周壁部６２０の第１長壁部６２２の第２方向外端に位置している。
【００３７】
図１０及び図１１を参照して、本実施の形態の第１金属部材被固定部７４０は、第１コネクタ５００を第１回路基板８５０に固定した際に、第１回路基板８５０上の回路パターン（図示せず）に半田付けされるものである。図９に示されるように、第１金属部材被固定部７４０は、第１絶縁体６００の第１周壁部６２０の第１長壁部６２２から第２方向外側に延びている。図１０に示されるように、上下方向において、第１金属部材被固定部７４０の外端は、第１絶縁体６００の上面部６１０の外端よりも外側に位置している。即ち、上下方向において、第１金属部材被固定部７４０の上端は、第１絶縁体６００の上面部６１０の上端よりも上方に位置している。
【００３８】
図８から図１２までに示されるように、本実施の形態の第１端子８００は、第１絶縁体６００に保持されている。より詳しくは、第１端子８００は、第１絶縁体６００の第１周壁部６２０の第１長壁部６２２に保持されている。即ち、第１絶縁体６００は、複数の第１端子８００を保持している。
【００３９】
図１２を参照して、本実施の形態の第１端子８００は、導電性部材からなるものであり、第１外側接触部８１０と、第１内側接触部８２０と、第１被固定部８３０と、段差部８４０と、曲部８４４とを有している。
【００４０】
図８及び図１２に示されるように、本実施の形態の第１外側接触部８１０は、第１絶縁体６００の第１周壁部６２０の第１長壁部６２２の第２方向外面上に露出している。
【００４１】
図１０及び図１２に示されるように、本実施の形態の第１内側接触部８２０は、第１絶縁体６００の第１周壁部６２０の第１長壁部６２２の第２方向内面上に露出している。即ち、第１内側接触部８２０は、第１絶縁体６００の島状部収容部６４０内において露出している。第１内側接触部８２０は、第２方向において第１外側接触部８１０の内側に位置している。
【００４２】
図１２を参照して、本実施の形態の第１被固定部８３０は、第１コネクタ５００を第１回路基板８５０に固定した際に、第１回路基板８５０上の回路パターン（図示せず）に半田付けされるものである。第１被固定部８３０は、第１絶縁体６００の第１周壁部６２０の第１長壁部６２２から第２方向外側に延びている。上下方向において、第１被固定部８３０の外端は、第１絶縁体６００の上面部６１０の外端よりも外側に位置している。即ち、上下方向において、第１被固定部８３０の上端は、第１絶縁体６００の上面部６１０の上端よりも上方に位置している。
【００４３】
図１２に示されるように、本実施の形態の段差部８４０は、第１外側接触部８１０から第２方向外側に延びている。段差部８４０の第２方向内端は、第１外側接触部８１０と連結されている。段差部８４０の第２方向外端は、第１端子８００の第２方向最外端である。
【００４４】
図１２に示されるように、本実施の形態の曲部８４４は、段差部８４０から上下方向において下方に延びている。曲部８４４は、段差部８４０の第２方向外端から下方に延びている。即ち、曲部８４４の上端は、段差部８４０の第２方向外端である。
【００４５】
図１５に示されるように、本実施の形態による第２コネクタ１００は、第１回路基板８５０とは異なる第２回路基板４５０に固定されるものである。
【００４６】
図１３に示されるように、本実施の形態による第２コネクタ１００は、第２絶縁体２００と、２つの第２金属部材３００と、複数の第２端子４００とを備えている。なお、本発明はこれに限定されず、第２端子４００は、少なくとも１つあればよい。また、第２コネクタ１００は、第２絶縁体２００と、第２金属部材３００とを備えていればよい。即ち、第２コネクタ１００は、第２端子４００を備えていなくてもよい。
【００４７】
図１４を参照して、本実施の形態の第２絶縁体２００は、樹脂からなるものであり、底面部２０５と、第２周壁部２３０と、第１周壁部収容部２３８と、島状部２４０とを有している。
【００４８】
図１５、図１７及び図１８に示されるように、本実施の形態の底面部２０５は、上下方向と直交する平板形状を有しており、第２絶縁体２００の下端を規定している。
【００４９】
図１４及び図１７に示されるように、本実施の形態の底面部２０５は、２つの絶縁平面２１０と、２つの境界部分２１２と、２つの絶縁平面２２０と、２つの境界部分２２２とを有している。即ち、本実施の形態の第２絶縁体２００は、２つの絶縁平面２１０，２２０を有している。なお本発明はこれに限定されず、第２絶縁体２００は、少なくとも１つの絶縁平面２１０，２２０を有していればよい。
【００５０】
図１７に示されるように、本実施の形態の絶縁平面２１０，２２０は、第１方向、即ち上下方向と直交する平面である。図１４に示されるように、絶縁平面２１０，２２０は、底面部２０５の第３方向両端付近に位置している。絶縁平面２１０は、第２方向において絶縁平面２２０の＋Ｙ側に位置している。
【００５１】
図１４及び図１７に示されるように、本実施の形態の境界部分２１２は、絶縁平面２１０の第２方向内端に位置している。本実施の形態の境界部分２２２は、絶縁平面２２０の第２方向内端に位置している。
【００５２】
図１４に示されるように、本実施の形態の第２周壁部２３０は、上下方向に沿って見た場合、矩形形状の外周を有している。絶縁平面２１０，２２０は、上下方向と直交する平面内において、第２周壁部２３０に包囲されている。第２周壁部２３０は、２つの第２長壁部２３２と、２つの第２短壁部２３６とを有している。
【００５３】
図１７に示されるように、本実施の形態の第２長壁部２３２は、第２周壁部２３０の第２方向外端を規定している。第２長壁部２３２の下端は、底面部２０５と連結されている。
【００５４】
図１５に示されるように、本実施の形態の第２短壁部２３６は、第２周壁部２３０の第３方向外端を規定している。第２短壁部２３６の下端は、底面部２０５と連結されている。図１４に示されるように、第２短壁部２３６の第２方向両端は、第２長壁部２３２と夫々連結されている。
【００５５】
図１３に示されるように、本実施の形態の第１周壁部収容部２３８は、上端が開口した凹部である。即ち、第１周壁部収容部２３８は、上下方向において下方に凹んでいる。図１４に示されるように、絶縁平面２１０，２２０は、第１周壁部収容部２３８内に位置している。底面部２０５は、第１周壁部収容部２３８の下端を規定している。第１周壁部収容部２３８は、上下方向と直交する平面内において、第２周壁部２３０に包囲されている。
【００５６】
図１５に示されるように、本実施の形態の島状部２４０は、底面部２０５から上方に突出している。図１４に示されるように、島状部２４０は、上下方向と直交する平面内において、第１周壁部収容部２３８に包囲されている。即ち、島状部２４０は、上下方向と直交する平面内において、第２周壁部２３０に第１周壁部収容部２３８を介して包囲されている。島状部２４０は、第３方向において２つの絶縁平面２１０の間に位置している。島状部２４０は、第３方向において２つの絶縁平面２２０の間に位置している。
【００５７】
図１３を参照して、本実施の形態の第２金属部材３００は、金属からなるものであり、第２絶縁体２００に保持されている。
【００５８】
図１４に示されるように、本実施の形態の第２金属部材３００は、主被保持部３２０と、接続部３３０と、第２金属平面３１０と、補助的被保持部３４０とを有している。
【００５９】
図１４に示されるように、本実施の形態の主被保持部３２０は、第２絶縁体２００の第２周壁部２３０に保持されている。本実施の形態の主被保持部３２０は、長壁側被保持部３２２と、短壁側被保持部３２６とを有している。
【００６０】
図１３及び図１４に示されるように、本実施の形態の長壁側被保持部３２２は、第２絶縁体２００の第２周壁部２３０の第２長壁部２３２に保持されている。長壁側被保持部３２２は、弾性変形部３６０と、第２付加部材３７０とを有している。即ち、本実施の形態の第２金属部材３００は、第２付加部材３７０を有している。
【００６１】
図１３から図１５までに示されるように、本実施の形態の弾性変形部３６０は、第３方向外側に延びており、第３方向外端が自由端となっている。弾性変形部３６０は、第２方向において弾性変形可能となっている。
【００６２】
図１３及び図１４に示されるように、本実施の形態の第２付加部材３７０は、第２絶縁体２００に保持されている。第２付加部材３７０は、弾性変形部３６０から第２方向内側に突出している。上述のように、弾性変形部３６０は第２方向に弾性変形可能となっていることから、第２付加部材３７０は、第２方向に移動可能となっている。第１コネクタ５００と第２コネクタ１００とが嵌合していない状態において、第２付加部材３７０は、第１周壁部収容部２３８内に位置している。第２付加部材３７０は、接触面３７２を有している。接触面３７２は、第１方向、即ち上下方向及び第２方向の双方と交差する面である。接触面３７２は、弾性変形部３６０から下方且つ第２方向内側に向かって延びている。接触面３７２は、内端３７４を有している。内端３７４は、接触面３７２の第２方向における最内端である。
【００６３】
図１３から図１５までに示されるように、本実施の形態の短壁側被保持部３２６は、第２絶縁体２００の第２周壁部２３０の第２短壁部２３６に保持されている。
【００６４】
図１３から図１５までに示されるように、本実施の形態の接続部３３０は、主被保持部３２０の短壁側被保持部３２６の第３方向内端から、上下方向における下方に延びている。接続部３３０は、主被保持部３２０と、第２金属平面３１０とを互いに連結している。即ち、接続部３３０は、主被保持部３２０の短壁側被保持部３２６の第３方向内端と、第２金属平面３１０の第３方向外端とを接続している。
【００６５】
図１７に示されるように、本実施の形態の第２金属平面３１０は、第１方向、即ち上下方向と直交する平面である。第２金属平面３１０は、第２方向において、２つの絶縁平面２１０，２２０と隣接して配置されている。なお、本発明はこれに限定されず、第２金属平面３１０は、第１方向、即ち上下方向と直交する第２方向において、少なくとも１つの絶縁平面２１０，２２０と隣接して配置されていればよい。
【００６６】
図１７に示されるように、本実施の形態の第２金属平面３１０は、第２方向において、２つの絶縁平面２１０，２２０の間に位置している。より詳しくは、第２金属平面３１０は、第２方向において２つの境界部分２１２，２２２の間に位置している。図６に示されるように、第２金属平面３１０は、第１方向、即ち上下方向において絶縁平面２１０，２２０のいずれよりも上方に位置している。
【００６７】
図２に示されるように、本実施の形態の第２金属平面３１０は、第２方向において、第１金属平面７１０のサイズよりも小さなサイズを有している。即ち、本実施の形態の第１金属平面７１０は、第２方向において、第２金属平面３１０のサイズよりも大きなサイズを有している。
【００６８】
図２に示されるように、本実施の形態の第２金属平面３１０は、第１方向、即ち上下方向及び第２方向の双方と直交する第３方向において、第１金属平面７１０よりも大きなサイズを有している。即ち、本実施の形態の第１金属平面７１０は、第１方向、即ち上下方向及び第２方向の双方と直交する第３方向において、第２金属平面３１０よりも小さいサイズを有している。
【００６９】
図１４及び図１５に示されるように、本実施の形態の補助的被保持部３４０は、第２金属平面３１０の第３方向内端から第３方向内側に延びている。補助的被保持部３４０は、第２絶縁体２００の島状部２４０に保持されている。即ち、補助的被保持部３４０の第３方向内端及びその近傍は、第２絶縁体２００の島状部２４０に保持されている。
【００７０】
図１８に示されるように、本実施の形態の第２端子４００は、第２絶縁体２００に保持されている。本実施の形態の第２端子４００は、導電性部材からなるものであり、第２外側接触部４１０と、第２内側接触部４２０と、第２被固定部４３０とを有している。
【００７１】
図１８に示されるように、本実施の形態の第２外側接触部４１０は、第２絶縁体２００の第２周壁部２３０の第２長壁部２３２から第２方向内側に突出している。第２外側接触部４１０は、第２絶縁体２００の第１周壁部収容部２３８内に露出している。第２外側接触部４１０は、内端４１２を有している。内端４１２は、第２外側接触部４１０の第２方向における最内端に位置している。
【００７２】
図１８に示されるように、本実施の形態の第２内側接触部４２０は、第２絶縁体２００の島状部２４０から第２方向外側に突出している。第２内側接触部４２０は、第２絶縁体２００の第１周壁部収容部２３８内に露出している。第２内側接触部４２０は、第２方向において第２外側接触部４１０の内側に位置している。
【００７３】
図１８を参照して、本実施の形態の第２被固定部４３０は、第２コネクタ１００を第２回路基板４５０に固定した際に、第２回路基板４５０上の回路パターン（図示せず）に半田付けされるものである。第２被固定部４３０は、第２外側接触部４１０から第２方向外側に延びている。上下方向において、第２被固定部４３０の外端は、第２絶縁体２００の底面部２０５の外端よりも外側に位置している。即ち、上下方向において、第２被固定部４３０の下端は、第２絶縁体２００の底面部２０５の下端よりも下方に位置している。
【００７４】
本実施の形態のコネクタ組立体１０における第１コネクタ５００と第２コネクタ１００との嵌合操作を、以下に詳述する。
【００７５】
まず、図４、図１０及び図１５を参照して、第１コネクタ５００の第１絶縁体６００の島状部収容部６４０と第２コネクタ１００の第２絶縁体２００の島状部２４０とが上下方向において対向するように、第１コネクタ５００及び第２コネクタ１００を位置決めする。このとき、第１コネクタ５００の第１金属部材７００の第１金属平面７１０と第２コネクタ１００の第２金属部材３００の第２金属平面３１０とは、上下方向において対向している。
【００７６】
上記位置決めの後、第１コネクタ５００と第２コネクタ１００とを上下方向において互いに近づけるように移動させて、第１コネクタ５００を、上下方向において第２コネクタ１００に部分的に挿入する。このとき、第１コネクタ５００の第１周壁部６２０は、第２コネクタ１００の第１周壁部収容部２３８に部分的に収容され、第２コネクタ１００の第２絶縁体２００の島状部２４０は、第１コネクタ５００の第１絶縁体６００の島状部収容部６４０に部分的に収容される。
【００７７】
第１コネクタ５００と第２コネクタ１００とを上下方向において更に近づけると、図７、図１２及び図１８を参照して、第１コネクタ５００の第１端子８００の第１内側接触部８２０は、第２コネクタ１００の第２端子４００の第２内側接触部４２０と上下方向において接触し、第１コネクタ５００の第２コネクタ１００に対する挿入において挿入力が付与される。
【００７８】
第１コネクタ５００と第２コネクタ１００とを上下方向に更に近づけるようにコネクタ組立体１０に力を加えると、第１コネクタ５００の第１端子８００の曲部８４４は、第２コネクタ１００の第２端子４００の第２外側接触部４１０と接触しながら下方に移動し、曲部８４４の上端は、第２コネクタ１００の第２端子４００の第２外側接触部４１０の内端４１２と第２方向において接触する。この接触の時点において第１コネクタ５００の第２コネクタ１００に対する挿入力は最大となる。
【００７９】
上記接触の後、第１コネクタ５００と第２コネクタ１００とを上下方向において更に近づけるようにコネクタ組立体１０に力を加え続けると、第１コネクタ５００の第１端子８００の段差部８４０は、第２コネクタ１００の第２端子４００の第２外側接触部４１０の内端４１２を乗り越えて下方に移動し、第１コネクタ５００の第１端子８００の第１外側接触部８１０は、第２コネクタ１００の第２端子４００の第２外側接触部４１０と第２方向において接触する。ここで、第１コネクタ５００の第１端子８００の段差部８４０が第２コネクタ１００の第２端子４００の第２外側接触部４１０の内端４１２を乗り越えた時点以降においては、第１コネクタ５００の第２コネクタ１００に対する挿入力は減少する。
【００８０】
即ち、第１コネクタ５００と第２コネクタ１００との嵌合の際、第１端子８００と第２端子４００との接触状態が変化することにより、第１コネクタ５００の第２コネクタ１００に対する挿入力が変化する。
【００８１】
上記乗り越えの後、第１コネクタ５００と第２コネクタ１００とを上下方向において更に近づけるようにコネクタ組立体１０に力を加え続けると、第１コネクタ５００の第１金属部材７００の第１金属平面７１０は、第２コネクタ１００の第２金属部材３００の第２金属平面３１０に対して突き当り、第１コネクタ５００と第２コネクタ１００との嵌合が完了して、第１コネクタ５００と第２コネクタ１００とは嵌合状態となる。即ち、第１コネクタ５００の第１金属部材７００の第１金属平面７１０は、第１コネクタ５００が第２コネクタ１００と嵌合する際に、第１方向、即ち上下方向において第２コネクタ１００の第２金属部材３００の第２金属平面３１０に突き当たる。ここで、第１金属平面７１０の第２金属平面３１０に対する突き当りの際に、比較的大きな金属音が発生するため、作業者は、この金属音を耳で認識することにより、第１コネクタ５００と第２コネクタ１００とが正規の嵌合位置に到達したことを容易且つ確実に確認することができる。
【００８２】
即ち、第１コネクタ５００と第２コネクタ１００との嵌合の際に、第１コネクタ５００は、第１方向、即ち上下方向において第２コネクタ１００に部分的に挿入され、この挿入の際に、第１コネクタ５００は、第１方向、即ち上下方向において、第２コネクタ１００に対する挿入力が最大となる位置を越えて挿入された後、第２金属平面３１０に対して第１金属平面７１０で突き当たる。また、第１コネクタ５００と第２コネクタ１００との嵌合は、第１金属平面７１０の第２金属平面３１０に対する突き当りの時点で完了している。
【００８３】
第１回路基板８５０に固定された第１コネクタ５００と、第２回路基板４５０に固定された第２コネクタ１００とを、互いに嵌合させる場合においては、第１コネクタ５００の第２コネクタ１００への挿入状態を作業者は目視で確認することができない。しかしながら、本実施の形態のコネクタ組立体１０においては、上述のように、第１コネクタ５００と第２コネクタ１００との嵌合が完了したことを、第１金属平面７１０の第２金属平面３１０に対する突き当りにより発生する金属音により、作業者は耳で認識することができる。即ち、金属音により第１コネクタ５００と第２コネクタ１００との嵌合完了を確認できるという上述の効果は、本実施の形態のコネクタ組立体１０を基板対基板コネクタ組立体として使用する場合に特に有益である。
【００８４】
図２及び図６に示されるように、第１コネクタ５００と第２コネクタ１００とが互いに嵌合した嵌合状態において、第１金属平面７１０は、第２金属平面３１０及び２つの絶縁平面２１０，２２０の夫々と第１方向、即ち上下方向において少なくとも部分的に対向している。なお本発明はこれに限定されず、第１コネクタ５００と第２コネクタ１００とが互いに嵌合した嵌合状態において、第１金属平面７１０は、第２金属平面３１０及び少なくとも１つの絶縁平面２１０，２２０の夫々と第１方向、即ち上下方向において少なくとも部分的に対向していればよい。
【００８５】
更に、図２及び図６に示されるように、第１コネクタ５００と第２コネクタ１００とが互いに嵌合した嵌合状態において、第１金属平面７１０は、第２方向における第２金属平面３１０と２つの絶縁平面２１０，２２０との境界部分２１２，２２２を跨いでいる。なお、本発明はこれに限定されず、第１金属平面７１０は、第２方向における第２金属平面３１０と少なくとも１つの絶縁平面２１０，２２０との境界部分２１２，２２２を跨いでいればよい。
【００８６】
加えて、図６に示されるように、第１コネクタ５００と第２コネクタ１００とが互いに嵌合した嵌合状態において、第１方向、即ち上下方向における第１金属平面７１０から第２金属平面３１０までの距離Ｄ１は、第１方向、即ち上下方向における第１金属平面７１０から一方の絶縁平面２１０までの距離Ｄ２及び第１金属平面７１０から他方の絶縁平面２２０までの距離Ｄ３のいずれよりも短くなっている。なお本発明はこれに限定されず、第１コネクタ５００と第２コネクタ１００とが互いに嵌合した嵌合状態において、第１方向、即ち上下方向における第１金属平面７１０から第２金属平面３１０までの距離Ｄ１は、第１方向、即ち上下方向における第１金属平面７１０から少なくとも１つの絶縁平面２１０，２２０までの距離よりも短くなっていればよい。
【００８７】
第１コネクタ５００と第２コネクタ１００とが互いに嵌合した嵌合状態において、第１金属平面７１０と第２金属平面３１０とは上下方向において互いに接していなくてもよく、また互いに接していてもよい。即ち、第１コネクタ５００と第２コネクタ１００とが互いに嵌合した嵌合状態において、第１金属平面７１０と第２金属平面３１０とが上下方向において離れて位置していてもよく、また離れて位置していなくてもよい。なお、図６に示されるように、本実施の形態において、第１コネクタ５００と第２コネクタ１００とが互いに嵌合した嵌合状態では、第１金属平面７１０と第２金属平面３１０とは上下方向において互いに接している。
【００８８】
図３、図７、図８及び図１４を参照して、第１コネクタ５００と第２コネクタ１００とが互いに嵌合した嵌合状態において、第１コネクタ５００の第１金属部材７００の第１付加部材７７０の側面部７３０と第２コネクタ１００の第２金属部材３００の第２付加部材３７０の接触面３７２の内端３７４とは第２方向において互いに接触しており、第１コネクタ５００の第１端子８００と第２コネクタ１００の第２端子４００とは互いに接触している。
【００８９】
（第２の実施形態）
図１、図１９及び図２０を参照すると、本発明の第２の実施の形態によるコネクタ組立体（図示せず）は、上述した第１の実施の形態によるコネクタ組立体１０（図１参照）と同様な構成を備えている。そのため、図１９及び図２０に示される構成要素のうち、第１の実施の形態と同様の構成要素に対しては同一の参照符号を付すこととする。また、本実施の形態における方位及び方向は、第１の実施の形態のものと同じ表現を以下において使用する。
【００９０】
図１、図１９及び図２０を参照すると、本実施の形態によるコネクタ組立体は、第１コネクタ５００Ａと、第２コネクタ１００とを備えている。ここで、本実施の形態の第２コネクタ１００は、第１の実施形態の第２コネクタ１００と同じ構造を有するものであるので、詳細な説明は省略する。
【００９１】
図１及び図１９を参照して、本実施の形態による第１コネクタ５００Ａは、第１方向、即ち上下方向に沿って第２コネクタ１００に対して嵌合及び抜去可能なものである。
【００９２】
図２０に示されるように、本実施の形態による第１コネクタ５００Ａは、第１回路基板８５０に固定されるものである。
【００９３】
図１９及び図２０に示されるように、本実施の形態による第１コネクタ５００Ａは、第１絶縁体６００Ａと、２つの第１金属部材７００Ａと、複数の第１端子８００とを備えている。本実施の形態の第１端子８００は、第１の実施形態の第１端子８００と同じ構造を有するものであるので、詳細な説明は省略する。なお、本発明はこれに限定されず、第１端子８００は、少なくとも１つあればよい。また、第１コネクタ５００Ａは、第１絶縁体６００Ａと、第１金属部材７００Ａとを備えていればよい。即ち、第１コネクタ５００Ａは、第１端子８００を備えていなくてもよい。
【００９４】
図１９及び図２０を参照して、本実施の形態の第１絶縁体６００Ａは、樹脂からなるものであり、上面部６１０と、第１周壁部６２０Ａと、島状部収容部６４０とを有している。ここで、第１周壁部６２０Ａ以外の構成要素については、第１の実施の形態の第１絶縁体６００と同様な構造を有している。従って、第１周壁部６２０Ａ以外の構成要素については、詳細な説明を省略する。
【００９５】
図１９及び図２０に示されるように、本実施の形態の第１周壁部６２０Ａは、上下方向に沿って見た場合、矩形形状の外周を有している。第１周壁部６２０Ａは、２つの第１長壁部６２２Ａと、２つの第１短壁部６２６Ａとを有している。
【００９６】
図１９及び図２０に示されるように、本実施の形態の第１長壁部６２２Ａは、第２方向において互いに対向している。第１長壁部６２２Ａの上端は、上面部６１０と連結されている。第１長壁部６２２Ａは、第１金属部材７００Ａと隣接する隣接部６２３を有している。
【００９７】
図１９及び図２０に示されるように、本実施の形態の第１短壁部６２６Ａは、第３方向において互いに対向している。第１短壁部６２６Ａの上端は、上面部６１０と連結されている。第１短壁部６２６Ａの第２方向両端は、第１長壁部６２２Ａと夫々連結されている。上下方向において、第１短壁部６２６Ａの下端は、第１長壁部６２２Ａの下端と同じ位置に位置している。第１短壁部６２６Ａは、第１金属部材７００Ａと隣接する隣接部６２７を有している。
【００９８】
図１９及び図２０に示されるように、本実施の形態の第１金属部材７００Ａは、第１絶縁体６００Ａに保持されている。より詳しくは、第１金属部材７００Ａは、第１絶縁体６００Ａの第３方向両端に夫々保持されている。
【００９９】
図１９及び図２０を参照して、本実施の形態の第１金属部材７００Ａは、金属からなるものであり、第１金属平面７１０と、第１付加部材７７０Ａと、第１金属部材被固定部７４０とを有している。ここで、第１付加部材７７０Ａ以外の構成要素については、第１の実施の形態の第１金属部材７００と同様な構造を有している。従って、第１付加部材７７０Ａ以外の構成要素については、詳細な説明を省略する。
【０１００】
図１９及び図２０に示されるように、本実施の形態の第１付加部材７７０Ａは、連結部７２０Ａと、側面部７３０Ａとを有している。
【０１０１】
図１９及び図２０を参照して、本実施の形態の連結部７２０Ａの第３方向と直交する断面は、Ｒ形状となっている。即ち、連結部７２０Ａの外面は、Ｒ面となっている。連結部７２０Ａは、第１金属平面７１０と側面部７３０Ａとを連結している。連結部７２０Ａは、端部７２２Ａを有している。端部７２２Ａは、連結部７２０Ａの上端である。
【０１０２】
図１９及び図２０に示されるように、本実施の形態の側面部７３０Ａは、第２方向外側に向いている。
【０１０３】
図１９及び図２０に示されるように、本実施の形態の側面部７３０Ａは、凹部７３２を有している。凹部７３２は、第２方向内側に凹んでいる。凹部７３２の下端は、連結部７２０Ａの端部７２２Ａである。凹部７３２は、第２方向外側に向いた内面７３４を有している。
【０１０４】
本実施の形態のコネクタ組立体における第１コネクタ５００Ａと第２コネクタ１００との嵌合操作を、以下に詳述する。
【０１０５】
まず、図１３、図１９及び図２０を参照して、第１コネクタ５００Ａの第１絶縁体６００の島状部収容部６４０と第２コネクタ１００の第２絶縁体２００の島状部２４０とが上下方向において対向するように、第１コネクタ５００Ａ及び第２コネクタ１００を位置決めする。このとき、第１コネクタ５００Ａの第１金属部材７００Ａの第１金属平面７１０と第２コネクタ１００の第２金属部材３００の第２金属平面３１０とは、上下方向において対向している。
【０１０６】
上記位置決めの後、第１コネクタ５００Ａと第２コネクタ１００とを上下方向において互いに近づけるように移動させて、第１コネクタ５００Ａを、上下方向において第２コネクタ１００に部分的に挿入する。このとき、第１コネクタ５００Ａの第１絶縁体６００Ａの第１周壁部６２０Ａは、第２コネクタ１００の第１周壁部収容部２３８に部分的に収容され、第２コネクタ１００の第２絶縁体２００の島状部２４０は、第１コネクタ５００Ａの第１絶縁体６００の島状部収容部６４０に部分的に収容される。
【０１０７】
第１コネクタ５００Ａと第２コネクタ１００とを上下方向において更に近づけると、第１コネクタ５００Ａの連結部７２０Ａは、第２コネクタ１００の接触面３７２と上下方向において接触し、第１コネクタ５００Ａの第２コネクタ１００に対する挿入において挿入力が付与される。
【０１０８】
第１コネクタ５００Ａと第２コネクタ１００とを上下方向に更に近づけるようにコネクタ組立体に力を加えると、第１コネクタ５００Ａの連結部７２０Ａは、第２コネクタ１００の第２付加部材３７０を第２方向外側に移動させながら下方に移動し、第１コネクタ５００Ａの端部７２２Ａは、第２コネクタ１００の内端３７４（図１５参照）と第２方向において接触する。この接触の時点において、第１コネクタ５００Ａの第２コネクタ１００に対する挿入力は最大となる。
【０１０９】
上記接触の後、第１コネクタ５００Ａと第２コネクタ１００とを上下方向において更に近づけるようにコネクタ組立体に力を加え続けると、第１コネクタ５００Ａの端部７２２Ａが、第２コネクタ１００の内端３７４を乗り越えて下方に移動し、第２コネクタ１００の第２付加部材３７０は、第１コネクタ５００Ａの凹部７３２に受容される。このとき、第２コネクタ１００の内端３７４は、第１コネクタ５００Ａの内面７３４と第２方向において接触している。ここで、第１コネクタ５００Ａの端部７２２Ａが第２コネクタ１００の内端３７４を乗り越えた時点以降においては、第１コネクタ５００Ａの第２コネクタ１００に対する挿入力は減少する。
【０１１０】
即ち、第１コネクタ５００Ａと第２コネクタ１００との嵌合の際に、第１付加部材７７０Ａと第２付加部材３７０との接触状態が変化することにより、第１コネクタ５００Ａの第２コネクタ１００に対する挿入力が変化する。
【０１１１】
上記受容の後、第１コネクタ５００Ａと第２コネクタ１００とを上下方向において更に近づけるようにコネクタ組立体に力を加え続けると、第１コネクタ５００Ａの第１金属部材７００Ａの第１金属平面７１０は、第２コネクタ１００の第２金属部材３００の第２金属平面３１０に対して突き当り、第１コネクタ５００Ａと第２コネクタ１００との嵌合が完了して、第１コネクタ５００Ａと第２コネクタ１００とは嵌合状態となる。即ち、第１コネクタ５００Ａの第１金属部材７００Ａの第１金属平面７１０は、第１コネクタ５００Ａが第２コネクタ１００と嵌合する際に、上下方向において第２コネクタ１００の第２金属部材３００の第２金属平面３１０に突き当たる。ここで、第１金属平面７１０の第２金属平面３１０に対する突き当りの際に、比較的大きな金属音が発生するため、作業者は、この金属音を耳で認識することにより、第１コネクタ５００Ａと第２コネクタ１００とが正規の嵌合位置に到達したことを容易且つ確実に確認することができる。
【０１１２】
即ち、第１コネクタ５００Ａと第２コネクタ１００との嵌合の際に、第１コネクタ５００Ａは、第１方向、即ち上下方向において第２コネクタ１００に部分的に挿入され、この挿入の際に、第１コネクタ５００Ａは、第１方向、即ち上下方向において、第２コネクタ１００に対する挿入力が最大となる位置を越えて挿入された後、第２金属平面３１０に対して第１金属平面７１０で突き当たる。また、第１コネクタ５００Ａと第２コネクタ１００との嵌合は、第１金属平面７１０の第２金属平面３１０に対する突き当りの時点で完了
している。
【０１１３】
第１の実施の形態のコネクタ組立体１０と同様に、金属音により第１コネクタ５００Ａと第２コネクタ１００との嵌合完了を確認できるという上述の効果は、本実施の形態のコネクタ組立体を基板対基板コネクタ組立体として使用する場合に特に有益である。
【０１１４】
図２及び図１９を参照して、第１コネクタ５００Ａと第２コネクタ１００とが互いに嵌合した嵌合状態において、第１金属平面７１０は、第２金属平面３１０及び２つの絶縁平面２１０，２２０の夫々と第１方向、即ち上下方向において少なくとも部分的に対向している。なお本発明はこれに限定されず、第１コネクタ５００Ａと第２コネクタ１００とが互いに嵌合した嵌合状態において、第１金属平面７１０は、第２金属平面３１０及び少なくとも１つの絶縁平面２１０，２２０の夫々と第１方向、即ち上下方向において少なくとも部分的に対向していればよい。
【０１１５】
更に、図２及び図１９を参照して、第１コネクタ５００Ａと第２コネクタ１００とが互いに嵌合した嵌合状態において、第１金属平面７１０は、第２方向における第２金属平面３１０と２つの絶縁平面２１０，２２０との境界部分２１２，２２２を跨いでいる。なお、本発明はこれに限定されず、第１金属平面７１０は、第２方向における第２金属平面３１０と少なくとも１つの絶縁平面２１０，２２０との境界部分２１２，２２２を跨いでいればよい。
【０１１６】
加えて、図６を参照して、第１コネクタ５００Ａと第２コネクタ１００とが互いに嵌合した嵌合状態において、第１方向、即ち上下方向における第１金属平面７１０から第２金属平面３１０までの距離は、第１方向、即ち上下方向における第１金属平面７１０から一方の絶縁平面２１０までの距離及び第１金属平面７１０から他方の絶縁平面２２０までの距離のいずれよりも短くなっている。なお本発明はこれに限定されず、第１コネクタ５００Ａと第２コネクタ１００とが互いに嵌合した嵌合状態において、第１方向、即ち上下方向における第１金属平面７１０から第２金属平面３１０までの距離は、第１方向、即ち上下方向における第１金属平面７１０から少なくとも１つの絶縁平面２１０，２２０までの距離よりも短くなっていればよい。
【０１１７】
第１コネクタ５００Ａと第２コネクタ１００とが互いに嵌合した嵌合状態において、第１金属平面７１０と第２金属平面３１０とは上下方向において互いに接していなくてもよく、また互いに接していてもよい。即ち、第１コネクタ５００Ａと第２コネクタ１００とが互いに嵌合した嵌合状態において、第１金属平面７１０と第２金属平面３１０とが上下方向において離れて位置していてもよく、また離れて位置していなくてもよい。なお、図６を参照して、本実施の形態において、第１コネクタ５００Ａと第２コネクタ１００とが互いに嵌合した嵌合状態では、第１金属平面７１０と第２金属平面３１０とは上下方向において互いに接している。
【０１１８】
図３、図７、図１４、図１９及び図２０を参照して、第１コネクタ５００Ａと第２コネクタ１００とが互いに嵌合した嵌合状態において、第１コネクタ５００Ａの第１金属部材７００Ａの第１付加部材７７０Ａの側面部７３０Ａの凹部７３２の内面７３４と第２コネクタ１００の第２金属部材３００の第２付加部材３７０の接触面３７２の内端３７４とは第２方向において互いに接触しており、第１コネクタ５００Ａの第１端子８００と第２コネクタ１００の第２端子４００とは互いに接触している。
【０１１９】
（第３の実施形態）
図２１に示されるように、本発明の第３の実施の形態によるコネクタ組立体１０Ｂは、上述した第１の実施の形態によるコネクタ組立体１０（図１参照）と同様な構成を備えている。そのため、図２１から図３２に示される構成要素のうち、第１の実施の形態と同様の構成要素に対しては同一の参照符号を付すこととする。また、本実施の形態における方位及び方向は、第１の実施の形態のものと同じ表現を以下において使用する。
【０１２０】
図２１に示されるように、本実施の形態によるコネクタ組立体１０Ｂは、第１コネクタ５００Ｂと、第２コネクタ１００Ｂとを備えている。
【０１２１】
図２１及び図２４を参照して、本実施の形態による第１コネクタ５００Ｂは、第１方向、即ち上下方向に沿って第２コネクタ１００Ｂに対して嵌合及び抜去可能なものである。
【０１２２】
図２７に示されるように、本実施の形態の第１コネクタ５００Ｂは、第１回路基板８５０に固定されるものである。
【０１２３】
図２５に示されるように、本実施の形態の第１コネクタ５００Ｂは、第１絶縁体６００Ｂと、第１金属部材７００Ｂと、複数の第１端子８００と、２つの第１付加的金属部材７５０とを備えている。本実施の形態の第１端子８００は、第１の実施形態の第１端子８００と同じ構造を有するものであるので、詳細な説明は省略する。なお、本発明はこれに限定されず、第１端子８００は、少なくとも１つあればよい。また、第１コネクタ５００Ｂは、第１端子８００又は第１付加的金属部材７５０を備えていなくてもよい。
【０１２４】
図２６を参照して、本実施の形態の第１絶縁体６００Ｂは、樹脂からなるものであり、上面部６１０Ｂと、第１周壁部６２０と、島状部収容部６４０Ｂとを有している。ここで、上面部６１０Ｂ以外の構成要素については、第１の実施の形態と同様な構造を有している。従って、上面部６１０Ｂ以外の構成要素については、詳細な説明を省略する。
【０１２５】
図２７に示されるように、本実施の形態の上面部６１０Ｂは、上下方向と直交する略平板形状を有しており、第１絶縁体６００Ｂの上端を規定している。上面部６１０Ｂは、第１金属部材７００Ｂと隣接する隣接部６１２を有している。
【０１２６】
図２６及び図２７に示されるように、本実施の形態の第１金属部材７００Ｂは、第１絶縁体６００Ｂに保持されている。第１金属部材７００Ｂは、第１絶縁体６００Ｂの上面部６１０Ｂの下面上に位置している。第１金属部材７００Ｂは、第１絶縁体６００Ｂの島状部収容部６４０Ｂ内に位置している。第１金属部材７００Ｂは、第１絶縁体６００Ｂの第１周壁部６２０に包囲されている。第１金属部材７００Ｂは、金属からなるものであり、第１方向、即ち上下方向と直交する平板形状を有している。第１金属部材７００Ｂは、第１金属平面７１０Ｂを有している。
【０１２７】
図２６及び図２７に示されるように、本実施の形態の第１金属平面７１０Ｂは、第１方向、即ち上下方向と直交する平面である。第１金属平面７１０Ｂは、第１絶縁体６００Ｂの上面部６１０Ｂの下端に位置している。
【０１２８】
上下方向において、第１金属平面７１０Ｂは、第１絶縁体６００Ｂの隣接部６１２のうちの第１金属平面７１０Ｂと接している部分６１３の下端と同じ位置に位置している。なお、本発明はこれに限定されず、上下方向において、第１金属平面７１０Ｂは、第１絶縁体６００Ｂの隣接部６１２のうちの第１金属平面７１０Ｂと接している部分６１３の下端と同じ位置でなくてもよい。
【０１２９】
図２５に示されるように、本実施の形態の第１付加的金属部材７５０は、第１付加部材７７０Ｂと、第１金属部材被固定部７４０Ｂとを有している。
【０１３０】
図２５に示されるように、本実施の形態の第１付加部材７７０Ｂは、連結部７２０Ｂと、側面部７３０Ｂとを有している。
【０１３１】
図２５及び図２６を参照して、本実施の形態の連結部７２０Ｂの第３方向と直交する断面は、Ｒ形状となっている。即ち、連結部７２０Ｂの外面は、Ｒ面となっている。連結部７２０Ｂは、側面部７３０Ｂと連結されている。連結部７２０Ｂは、端部７２２Ｂを有している。端部７２２Ｂは、連結部７２０Ｂの上端である。
【０１３２】
図２５及び図２６に示されるように、本実施の形態の側面部７３０Ｂは、第２方向と直交する平板形状を有している。側面部７３０Ｂは、第１絶縁体６００Ｂの第１周壁部６２０の第１長壁部６２２の第２方向外端に位置している。
【０１３３】
図２７を参照して、本実施の形態の第１金属部材被固定部７４０Ｂは、第１コネクタ５００Ｂを第１回路基板８５０に固定した際に、第１回路基板８５０上の回路パターン（図示せず）に半田付けされるものである。図２６に示されるように、第１金属部材被固定部７４０Ｂは、第１絶縁体６００Ｂの第１周壁部６２０の第１長壁部６２２から第２方向外側に延びている。図２７に示されるように、上下方向において、第１金属部材被固定部７４０Ｂの外端は、第１絶縁体６００Ｂの上面部６１０Ｂの外端よりも外側に位置している。即ち、上下方向において、第１金属部材被固定部７４０Ｂの上端は、第１絶縁体６００Ｂの上面部６１０Ｂの上端よりも上方に位置している。
【０１３４】
図３０に示されるように、本実施の形態による第２コネクタ１００Ｂは、第１回路基板８５０とは異なる第２回路基板４５０に固定されるものである。
【０１３５】
図２８に示されるように、本実施の形態による第２コネクタ１００Ｂは、第２絶縁体２００Ｂと、第２金属部材３００Ｂと、２つの第２付加的金属部材３５０と、複数の第２端子４００とを備えている。本実施の形態の第２端子４００は、第１の実施形態の第２端子４００と同じ構造を有するものであるので、詳細な説明は省略する。なお、本発明はこれに限定されず、第２端子４００は、少なくとも１つあればよい。また、第２コネクタ１００Ｂは、第２絶縁体２００Ｂと、第２金属部材３００Ｂとを備えていればよい。即ち、第２コネクタ１００Ｂは、第２端子４００及び第２付加的金属部材３５０を備えていなくてもよい。
【０１３６】
図２９を参照して、本実施の形態の第２絶縁体２００Ｂは、樹脂からなるものであり、底面部２０５と、第２周壁部２３０と、第１周壁部収容部２３８と、島状部２４０Ｂとを有している。ここで、島状部２４０Ｂ以外の構成要素については、第１の実施の形態の第２絶縁体２００と同様な構造を有している。従って、島状部２４０Ｂ以外の構成要素については、詳細な説明を省略する。
【０１３７】
図３０に示されるように、本実施の形態の島状部２４０Ｂは、底面部２０５から上方に突出している。図２９に示されるように、島状部２４０Ｂは、上下方向と直交する平面内において、第１周壁部収容部２３８に包囲されている。即ち、島状部２４０Ｂは、上下方向と直交する平面内において、第２周壁部２３０に第１周壁部収容部２３８を介して包囲されている。
【０１３８】
図３０及び図３２に示されるように、本実施の形態の島状部２４０Ｂは、２つの絶縁平面２１０Ｂ，２２０Ｂと、境界部分２１２Ｂ，２２２Ｂと、２つの付加的絶縁平面２５０，２６０と、境界部分２５２，２６２とを有している。即ち、第２絶縁体２００Ｂは、２つの絶縁平面２１０Ｂ、２２０Ｂと、２つの付加的絶縁平面２５０，２６０を有している。なお本発明はこれに限定されず、第２絶縁体２００Ｂは、少なくとも１つの絶縁平面２１０Ｂ，２２０Ｂを有していればよい。
【０１３９】
図３０及び図３２に示されるように、本実施の形態の絶縁平面２１０Ｂ，２２０Ｂ及び付加的絶縁平面２５０，２６０の夫々は、第１方向、即ち上下方向と直交する平面である。
【０１４０】
図３２に示されるように、本実施の形態の境界部分２１２Ｂは、絶縁平面２１０Ｂの第２方向内端に位置している。本実施の形態の境界部分２２２Ｂは、絶縁平面２２０Ｂの第２方向内端に位置している。
【０１４１】
図３０に示されるように、本実施の形態の境界部分２５２は、付加的絶縁平面２５０の第３方向内端に位置している。本実施の形態の境界部分２６２は、付加的絶縁平面２６０の第３方向内端に位置している。
【０１４２】
図３０を参照して、本実施の形態の第２金属部材３００Ｂは、金属からなるものであり、第１方向、即ち上下方向と直交する平板形状を有している。第２金属部材３００Ｂは、第２絶縁体２００Ｂに保持されている。第２金属部材３００Ｂは、第２金属平面３１０Ｂを有している。
【０１４３】
図３２に示されるように、本実施の形態の第２金属平面３１０Ｂは、第１方向、即ち上下方向と直交する平面である。第２金属平面３１０Ｂは、第２方向において、２つの絶縁平面２１０Ｂ，２２０Ｂと隣接して配置されている。即ち、第２金属平面３１０Ｂは、第２方向において、２つの絶縁平面２１０Ｂ，２２０Ｂの間に位置している。より詳しくは、第２金属平面３１０Ｂは、第２方向において２つの境界部分２１２Ｂ，２２２Ｂの間に位置している。第２金属平面３１０Ｂは、第１方向、即ち上下方向において絶縁平面２１０Ｂ，２２０Ｂのいずれよりも上方に位置している。なお、本発明はこれに限定されず、第２金属平面３１０Ｂは、第１方向、即ち上下方向と直交する第２方向において、少なくとも１つの絶縁平面２１０Ｂ，２２０Ｂと隣接して配置されていればよい。
【０１４４】
図３０に示されるように、本実施の形態の第２金属平面３１０Ｂは、第１方向、即ち上下方向及び第２方向の双方と直交する第３方向において、２つの付加的絶縁平面２５０，２６０の間に位置している。より詳しくは、第２金属平面３１０Ｂは、第３方向において２つの境界部分２５２，２６２の間に位置している。図２４に示されるように、第２金属平面３１０Ｂは、第１方向、即ち上下方向において付加的絶縁平面２５０，２６０のいずれよりも上方に位置している。
【０１４５】
図２９に示されるように、第１方向、即ち上下方向に沿って第２コネクタ１００Ｂを見た場合に、第２金属平面３１０Ｂは、絶縁平面２１０Ｂ，２２０Ｂと付加的絶縁平面２５０，２６０により囲まれている。より詳しくは、第１方向、即ち上下方向に沿って第２コネクタ１００Ｂを見た場合に、第２金属平面３１０Ｂは、境界部分２１２Ｂ，２２２Ｂと、境界部分２５２，２６２により囲まれている。
【０１４６】
図２２に示されるように、本実施の形態の第２金属平面３１０Ｂは、第２方向において、第１金属平面７１０Ｂのサイズよりも小さなサイズを有している。即ち、本実施の形態の第１金属平面７１０Ｂは、第２方向において、第２金属平面３１０Ｂのサイズよりも大きなサイズを有している。
【０１４７】
図２２に示されるように、本実施の形態の第２金属平面３１０Ｂは、第３方向において第１金属平面７１０Ｂ以下のサイズを有している。即ち、本実施の形態の第１金属平面７１０Ｂは、第３方向において、第２金属平面３１０Ｂ以上のサイズを有している。
【０１４８】
図２８に示されるように、第２付加的金属部材３５０は、主被保持部３２０Ｂを有している。
【０１４９】
図２８に示されるように、本実施の形態の主被保持部３２０Ｂは、第２絶縁体２００Ｂの第２周壁部２３０に保持されている。本実施の形態の主被保持部３２０Ｂは、長壁側被保持部３２２Ｂと、短壁側被保持部３２６Ｂとを有している。
【０１５０】
図２８に示されるように、本実施の形態の長壁側被保持部３２２Ｂは、第２絶縁体２００Ｂの第２周壁部２３０の第２長壁部２３２に保持されている。図３０に示されるように、長壁側被保持部３２２Ｂは、弾性変形部３６０Ｂと、第２付加部材３７０Ｂとを有している。
【０１５１】
図３０に示されるように、本実施の形態の弾性変形部３６０Ｂは、第３方向外側に延びており、第３方向外端が自由端となっている。弾性変形部３６０Ｂは、第２方向において弾性変形可能となっている。
【０１５２】
図２９に示されるように、本実施の形態の第２付加部材３７０Ｂは、第２絶縁体２００Ｂに保持されている。第２付加部材３７０Ｂは、弾性変形部３６０Ｂから第２方向内側に突出している。上述のように、弾性変形部３６０Ｂは第２方向に弾性変形可能となっていることから、第２付加部材３７０Ｂは、第２方向に移動可能となっている。第１コネクタ５００Ｂと第２コネクタ１００Ｂとが嵌合していない状態において、第２付加部材３７０Ｂは、第１周壁部収容部２３８内に位置している。第２付加部材３７０Ｂは、接触面３７２Ｂを有している。接触面３７２Ｂは、第１方向、即ち上下方向及び第２方向の双方と交差する面である。接触面３７２Ｂは、弾性変形部３６０Ｂから下方且つ第２方向内側に向かって延びている。接触面３７２Ｂは、内端３７４Ｂを有している。内端３７４Ｂは、接触面３７２Ｂの第２方向における最内端である。
【０１５３】
本実施の形態のコネクタ組立体１０Ｂにおける第１コネクタ５００Ｂと第２コネクタ１００Ｂとの嵌合操作を、以下に詳述する。
【０１５４】
まず、図２１、図２５及び図２８を参照して、第１コネクタ５００Ｂの第１絶縁体６００Ｂの島状部収容部６４０Ｂと第２コネクタ１００Ｂの第２絶縁体２００Ｂの島状部２４０Ｂとが上下方向において対向するように、第１コネクタ５００Ｂ及び第２コネクタ１００Ｂを位置決めする。このとき、第１コネクタ５００Ｂの第１金属部材７００Ｂの第１金属平面７１０Ｂと第２コネクタ１００Ｂの第２金属部材３００Ｂの第２金属平面３１０Ｂとは、上下方向において対向している。
【０１５５】
上記位置決めの後、第１コネクタ５００Ｂと第２コネクタ１００Ｂとを上下方向において互いに近づけるように移動させて、第１コネクタ５００Ｂを、上下方向において第２コネクタ１００Ｂに部分的に挿入する。このとき、第１コネクタ５００Ｂの第１周壁部６２０は、第２コネクタ１００Ｂの第１周壁部収容部２３８に部分的に収容され、第２コネクタ１００Ｂの第２絶縁体２００Ｂの島状部２４０Ｂは、第１コネクタ５００Ｂの第１絶縁体６００Ｂの島状部収容部６４０Ｂに部分的に収容される。
【０１５６】
第１コネクタ５００Ｂと第２コネクタ１００Ｂとを上下方向において更に近づけると、第１コネクタ５００Ｂの第１端子８００の第１内側接触部８２０は、第２コネクタ１００Ｂの第２端子４００の第２内側接触部４２０と上下方向において接触し、第１コネクタ５００Ｂの第２コネクタ１００Ｂに対する挿入において挿入力が付与される。
【０１５７】
第１コネクタ５００Ｂと第２コネクタ１００Ｂとを上下方向に更に近づけるようにコネクタ組立体１０Ｂに力を加えると、第１コネクタ５００Ｂの第１端子８００の曲部８４４は、第２コネクタ１００Ｂの第２端子４００の第２外側接触部４１０と接触しながら下方に移動し、曲部８４４の上端は、第２コネクタ１００Ｂの第２端子４００の第２外側接触部４１０の内端４１２と第２方向において接触する。この接触の時点において第１コネクタ５００Ｂの第２コネクタ１００Ｂに対する挿入力は最大となる。
【０１５８】
上記接触の後、第１コネクタ５００Ｂと第２コネクタ１００Ｂとを上下方向において更に近づけるようにコネクタ組立体１０Ｂに力を加え続けると、第１コネクタ５００Ｂの第１端子８００の段差部８４０（図１２参照）が、第２コネクタ１００Ｂの第２端子４００の第２外側接触部４１０の内端４１２を乗り越えて下方に移動し、第１コネクタ５００Ｂの第１端子８００の第１外側接触部８１０は、第２コネクタ１００Ｂの第２端子４００の第２外側接触部４１０と第２方向において接触する。ここで、第１コネクタ５００Ｂの第１端子８００の段差部８４０が第２コネクタ１００Ｂの第２端子４００の第２外側接触部４１０の内端４１２を乗り越えた時点以降においては、第１コネクタ５００Ｂの第２コネクタ１００Ｂに対する挿入力は減少する。
【０１５９】
即ち、第１コネクタ５００Ｂと第２コネクタ１００Ｂとの嵌合の際、第１端子８００と第２端子４００との接触状態が変化することにより、第１コネクタ５００Ｂの第２コネクタ１００Ｂに対する挿入力が変化する。
【０１６０】
上記乗り越えの後、第１コネクタ５００Ｂと第２コネクタ１００Ｂとを上下方向において更に近づけるようにコネクタ組立体１０Ｂに力を加え続けると、第１コネクタ５００Ｂの第１金属部材７００Ｂの第１金属平面７１０Ｂは、第２コネクタ１００Ｂの第２金属部材３００Ｂの第２金属平面３１０Ｂに対して突き当り、第１コネクタ５００Ｂと第２コネクタ１００Ｂとの嵌合が完了して、第１コネクタ５００Ｂと第２コネクタ１００Ｂとは嵌合状態となる。即ち、第１コネクタ５００Ｂの第１金属部材７００Ｂの第１金属平面７１０Ｂは、第１コネクタ５００Ｂが第２コネクタ１００Ｂと嵌合する際に、第１方向、即ち上下方向において第２コネクタ１００Ｂの第２金属部材３００Ｂの第２金属平面３１０Ｂに突き当たる。ここで、第１金属平面７１０Ｂの第２金属平面３１０Ｂに対する突き当りの際に、比較的大きな金属音が発生するため、作業者は、この金属音を耳で認識することにより、第１コネクタ５００Ｂと第２コネクタ１００Ｂとが正規の嵌合位置に到達したことを容易且つ確実に確認することができる。
【０１６１】
即ち、第１コネクタ５００Ｂと第２コネクタ１００Ｂとの嵌合の際に、第１コネクタ５００Ｂは、第１方向、即ち上下方向において第２コネクタ１００Ｂに部分的に挿入され、この挿入の際に、第１コネクタ５００Ｂは、第１方向、即ち上下方向において、第２コネクタ１００Ｂに対する挿入力が最大となる位置を越えて挿入された後、第２金属平面３１０Ｂに対して第１金属平面７１０Ｂで突き当たる。また、第１コネクタ５００Ｂと第２コネクタ１００Ｂとの嵌合は、第１金属平面７１０Ｂの第２金属平面３１０Ｂに対する突き当りの時点で完了している。
【０１６２】
第１の実施の形態のコネクタ組立体１０と同様に、金属音により第１コネクタ５００Ｂと第２コネクタ１００Ｂとの嵌合完了を確認できるという上述の効果は、本実施の形態のコネクタ組立体１０Ｂを基板対基板コネクタ組立体として使用する場合に特に有益である。
【０１６３】
図２２を参照して、第１コネクタ５００Ｂと第２コネクタ１００Ｂとが互いに嵌合した嵌合状態において、第１金属平面７１０Ｂは、第２金属平面３１０Ｂ及び２つの絶縁平面２１０Ｂ，２２０Ｂの夫々と第１方向、即ち上下方向において少なくとも部分的に対向している。なお本発明はこれに限定されず、第１コネクタ５００Ｂと第２コネクタ１００Ｂとが互いに嵌合した嵌合状態において、第１金属平面７１０Ｂは、第２金属平面３１０Ｂ及び少なくとも１つの絶縁平面２１０Ｂ，２２０Ｂの夫々と第１方向、即ち上下方向において少なくとも部分的に対向していればよい。
【０１６４】
更に、図２４に示されるように、第１コネクタ５００Ｂと第２コネクタ１００Ｂとが互いに嵌合した嵌合状態において、第１金属平面７１０Ｂは、更に、２つの付加的絶縁平面２５０，２６０の夫々と第１方向、即ち上下方向において対向している。なお、本発明はこれに限定されず、第１コネクタ５００Ｂと第２コネクタ１００Ｂとが互いに嵌合した嵌合状態において、第１金属平面７１０Ｂは、更に、２つの付加的絶縁平面２５０，２６０の夫々と第１方向、即ち上下方向において少なくとも部分的に対向していればよい。
【０１６５】
加えて、図２２を参照して、第１コネクタ５００Ｂと第２コネクタ１００Ｂとが互いに嵌合した嵌合状態において、第１金属平面７１０Ｂは、第２方向における第２金属平面３１０Ｂと２つの絶縁平面２１０Ｂ，２２０Ｂとの境界部分２１２Ｂ，２２２Ｂを跨いでいる。なお、本発明はこれに限定されず、第１金属平面７１０Ｂは、第２方向における第２金属平面３１０Ｂと少なくとも１つの絶縁平面２１０Ｂ，２２０Ｂとの境界部分２１２Ｂ，２２２Ｂを跨いでいればよい。
【０１６６】
図２４に示されるように、第１コネクタ５００Ｂと第２コネクタ１００Ｂとが互いに嵌合した嵌合状態において、第１金属平面７１０Ｂは、第３方向における第２金属平面３１０Ｂと２つの付加的絶縁平面２５０，２６０との境界部分２５２，２６２を跨いでいる。なお、本発明はこれに限定されず、第１金属平面７１０Ｂは、第３方向における第２金属平面３１０Ｂと少なくとも１つの付加的絶縁平面２５０，２６０との境界部分２５２，２６２を跨いでいればよい。
【０１６７】
図２２、図２４及び図３２を参照して、第１コネクタ５００Ｂと第２コネクタ１００Ｂとが互いに嵌合した嵌合状態において、第１方向、即ち上下方向における第１金属平面７１０Ｂから第２金属平面３１０Ｂまでの距離Ｄ４は、第１方向、即ち上下方向における第１金属平面７１０Ｂから一方の絶縁平面２１０Ｂまでの距離及び第１金属平面７１０Ｂから他方の絶縁平面２２０Ｂまでの距離のいずれよりも短くなっている。なお本発明はこれに限定されず、第１コネクタ５００Ｂと第２コネクタ１００Ｂとが互いに嵌合した嵌合状態において、第１方向、即ち上下方向における第１金属平面７１０Ｂから第２金属平面３１０Ｂまでの距離Ｄ４は、第１方向、即ち上下方向における第１金属平面７１０Ｂから少なくとも１つの絶縁平面２１０Ｂ，２２０Ｂまでの距離よりも短くなっていればよい。
【０１６８】
図２４に示されるように、第１コネクタ５００Ｂと第２コネクタ１００Ｂとが互いに嵌合した嵌合状態において、第１方向、即ち上下方向における第１金属平面７１０Ｂから第２金属平面３１０Ｂまでの距離Ｄ４は、第１方向、即ち上下方向における第１金属平面７１０Ｂから一方の付加的絶縁平面２５０までの距離Ｄ５及び第１方向、即ち上下方向における第１金属平面７１０Ｂから他方の付加的絶縁平面２６０までの距離Ｄ６のいずれよりも短くなっている。
【０１６９】
第１コネクタ５００Ｂと第２コネクタ１００Ｂとが互いに嵌合した嵌合状態において、第１金属平面７１０Ｂと第２金属平面３１０Ｂとは上下方向において互いに接していなくてもよく、また互いに接していてもよい。即ち、第１コネクタ５００Ｂと第２コネクタ１００Ｂとが互いに嵌合した嵌合状態において、第１金属平面７１０Ｂと第２金属平面３１０Ｂとが上下方向において離れて位置していてもよく、また離れて位置していなくてもよい。なお、図２４に示されるように、本実施の形態において、第１コネクタ５００Ｂと第２コネクタ１００Ｂとが互いに嵌合した嵌合状態では、第１金属平面７１０Ｂと第２金属平面３１０Ｂとは上下方向において互いに接している。
【０１７０】
図２３、図２５及び図３２を参照して、第１コネクタ５００Ｂと第２コネクタ１００Ｂとが互いに嵌合した嵌合状態において、第１コネクタ５００Ｂの第１付加的金属部材７５０の第１付加部材７７０Ｂの側面部７３０Ｂと第２コネクタ１００Ｂの第２付加的金属部材３５０の第２付加部材３７０Ｂの接触面３７２Ｂの内端３７４Ｂとは第２方向において互いに接触しており、第１コネクタ５００Ｂの第１端子８００と第２コネクタ１００Ｂの第２端子４００とは互いに接触している。
【０１７１】
以上、本発明について、実施の形態を掲げて具体的に説明してきたが、本発明はこれに限定されるわけではなく、種々の変形が可能である。
【０１７２】
本実施の形態の第１コネクタ５００，５００Ａ，５００Ｂ及び第２コネクタ１００，１００Ｂは、夫々、プラグ及びレセプタクルであったが、本発明はこれに限定されず、逆であってもよい。即ち、第１コネクタ５００，５００Ａ，５００Ｂ及び第２コネクタ１００，１００Ｂが、夫々、レセプタクル及びプラグであってもよい。
【０１７３】
本実施の形態のコネクタ組立体１０，１０Ｂは、１つの第１金属平面７１０，７１０Ｂ、１つの第２金属平面３１０，３１０Ｂ及び２つの絶縁平面２１０，２１０Ｂ，２２０，２２０Ｂで構成される組を１組又は２組備えていたが、本発明はこれに限定されない。即ち、コネクタ組立体１０，１０Ｂは、１つの第１金属平面７１０，７１０Ｂ、１つの第２金属平面３１０，３１０Ｂ及び２つの絶縁平面２１０，２１０Ｂ，２２０，２２０Ｂで構成される組を２組以上備えていてもよい。
【０１７４】
本実施の形態のコネクタ組立体１０，１０Ｂは、第１コネクタ５００，５００Ａ，５００Ｂが第１金属平面７１０，７１０Ｂを備えており、第２コネクタ１００，１００Ｂが第２金属平面３１０，３１０Ｂと絶縁平面２１０，２１０Ｂ，２２０，２２０Ｂとを備えていたが、本発明はこれに限定されない。即ち、第１コネクタ５００，５００Ａ，５００Ｂが第２金属平面３１０，３１０Ｂと絶縁平面２１０，２１０Ｂ，２２０，２２０Ｂとを備えており、第２コネクタ１００，１００Ｂが第１金属平面７１０，７１０Ｂを備えていてもよい。また、コネクタ組立体１０，１０Ｂが、１つの第１金属平面７１０，７１０Ｂ、１つの第２金属平面３１０，３１０Ｂ及び２つの絶縁平面２１０，２１０Ｂ，２２０，２２０Ｂで構成される組を２組以上備えている場合、各組において、第１コネクタ５００，５００Ａ，５００Ｂが１つの第２金属平面３１０，３１０Ｂと２つの絶縁平面２１０，２１０Ｂ，２２０，２２０Ｂとを備えており、且つ、第２コネクタ１００，１００Ｂが１つの第１金属平面７１０，７１０Ｂを備えていてもよい。
【０１７５】
本実施の形態のコネクタ組立体１０，１０Ｂの第１金属部材７００、第２金属部材３００、第１付加的金属部材７５０及び第２付加的金属部材３５０は、夫々、端子としても使用可能である。
【符号の説明】
【０１７６】
１０，１０Ｂ                      コネクタ組立体
１００，１００Ｂ                  第２コネクタ（コネクタ）
２００，２００Ｂ                  第２絶縁体
２０５                            底面部
２１０，２１０Ｂ                  絶縁平面
２１２，２１２Ｂ                  境界部分
２２０，２２０Ｂ                  絶縁平面
２２２，２２２Ｂ                  境界部分
２３０                            第２周壁部
２３２                            第２長壁部
２３６                            第２短壁部
２３８                            第１周壁部収容部
２４０，２４０Ｂ                  島状部
２５０                            付加的絶縁平面
２５２                            境界部分
２６０                            付加的絶縁平面
２６２                            境界部分
３００，３００Ｂ                  第２金属部材
３１０，３１０Ｂ                  第２金属平面
３２０，３２０Ｂ                  主被保持部
３２２，３２２Ｂ                  長壁側被保持部
３２６，３２６Ｂ                  短壁側被保持部
３３０                            接続部
３４０                            補助的被保持部
３５０                            第２付加的金属部材
３６０，３６０Ｂ                  弾性変形部
３７０，３７０Ｂ                  第２付加部材
３７２，３７２Ｂ                  接触面
３７４，３７４Ｂ                  内端
４００                            第２端子
４１０                            第２外側接触部
４１２                            内端
４２０                            第２内側接触部
４３０                            第２被固定部
４５０                            第２回路基板
５００，５００Ａ，５００Ｂ        第１コネクタ（コネクタ）
６００，６００Ａ，６００Ｂ        第１絶縁体
６１０，６１０Ｂ                  上面部
６１２                            隣接部
６１３                            部分
６２０，６２０Ａ                  第１周壁部
６２２，６２２Ａ                  第１長壁部
６２３                            隣接部
６２４                            部分
６２６，６２６Ａ                  第１短壁部
６２７                            隣接部
６２８                            部分
６４０，６４０Ｂ                  島状部収容部
７００，７００Ａ，７００Ｂ        第１金属部材
７１０，７１０Ｂ                  第１金属平面
７２０，７２０Ａ，７２０Ｂ        連結部
７２２，７２２Ａ，７２２Ｂ        端部
７３０，７３０Ａ，７３０Ｂ        側面部
７３２                            凹部
７３４                            内面
７４０，７４０Ｂ                  第１金属部材被固定部
７５０                            第１付加的金属部材
７７０，７７０Ａ，７７０Ｂ        第１付加部材
８００                            第１端子
８１０                            第１外側接触部
８２０                            第１内側接触部
８３０                            第１被固定部
８４０                            段差部
８４４                            曲部
８５０                            第１回路基板
Ｄ１                              距離
Ｄ２                              距離
Ｄ３                              距離
Ｄ４                              距離
Ｄ５                              距離
Ｄ６                              距離
【図１】
2020031025.tif 000003
【図２】
2020031025.tif 000004
【図３】
2020031025.tif 000005
【図４】
2020031025.tif 000006
【図５】
2020031025.tif 000007
【図６】
2020031025.tif 000008
【図７】
2020031025.tif 000009
【図８】
2020031025.tif 000010
【図９】
2020031025.tif 000011
【図１０】
2020031025.tif 000012
【図１１】
2020031025.tif 000013
【図１２】
2020031025.tif 000014
【図１３】
2020031025.tif 000015
【図１４】
2020031025.tif 000016
【図１５】
2020031025.tif 000017
【図１６】
2020031025.tif 000018
【図１７】
2020031025.tif 000019
【図１８】
2020031025.tif 000020
【図１９】
2020031025.tif 000021
【図２０】
2020031025.tif 000022
【図２１】
2020031025.tif 000023
【図２２】
2020031025.tif 000024
【図２３】
2020031025.tif 000025
【図２４】
2020031025.tif 000026
【図２５】
2020031025.tif 000027
【図２６】
2020031025.tif 000028
【図２７】
2020031025.tif 000029
【図２８】
2020031025.tif 000030
【図２９】
2020031025.tif 000031
【図３０】
2020031025.tif 000032
【図３１】
2020031025.tif 000033
【図３２】
2020031025.tif 000034
【図３３】
2020031025.tif 000035
【図３４】
2020031025.tif 000036